(57)【要約】      （修正有）【課題】ずり落ち性の極めて少ないひざ用サポーターであり、特に太股からひざ部分に使用されるサポーターを提供する。【解決手段】ひざ用サポーターの一部又は全部にシリコンゴムを貼着して成ることにあり、シリコンゴムを貼着する箇所がサポーターの上端部及び／又は下端部であり、シリコンゴムを帯状、斑点状にほぼ均一に分散して貼着する。又ひざ用サポーターが編物製サポーターである。又ひざ用サポーターを必要に応じ裏がえして平板状に２つ折りにし、その両面の夫々にシリコンゴムを別々に貼着する。【選択図】図２
2005054332.tif 000002
【特許請求の範囲】
【請求項１】
ひざ用サポーターの一部又は全部にシリコンゴムを貼着して成ることを特徴とするひざ用サポーター
【請求項２】
シリコンゴムを貼着する箇所が、サポーターの上端部（太股部分）及び／又は下端部（すね部分）である請求項１に記載のサポーター
【請求項３】
シリコンゴムを帯状に貼着した請求項１又は２に記載のサポーター
【請求項４】
シリコンゴムを斑点状にほぼ均一に分散して貼着した請求項１又は２に記載のサポーター
【請求項５】
ひざ用サポーターが編物製サポーターである請求項１〜４のいずれかに記載のサポーター
【請求項６】
ひざ用サポーターを必要に応じ裏がえして平板状に２つ折りにし、その両面の夫々にシリコンゴムを別々に貼着することを特徴とするサポーターの製造方法
【発明の詳細な説明】
【背景技術】
【０００１】
本発明はひざに装着して使用されるひざ用サポーターに関する。
【０００２】
サポーターは従来からスポーツ選手をはじめ各分野で広く使用されている。その使用部分も広い範囲で使用されており、足（脚）をはじめ手や胴体、腰等種々の部分に使用するための色々の形のものが広く開発されている。
【０００３】
このサポーターの一つとして、ひざ用として使用するサポーターがあり、特に太股からひざ部分に於いて使用されるサポーターがある。
【０００４】
このひざ用サポーターとしては従来から、各種のものが広く使用されており、たとえば材質としては、編物、編物と伸縮性のあるネオプレンゴムのボンディングした物、伸縮性の大きな織物が例示出来、これを図１に示す様な円筒状の形状としたものが最も多く使用されている。特に布製でしかも編物製のサポーターが最も多く使用されている。このものは、編物製であり、ある程度伸縮性があり、ひざから太股の部分を温める効果や、ひざに適度な緊張を与える為のしめつけの作用があるもの等、サポーターとしては優れたものである。
【０００５】
しかし乍ら、この種のサポーターは、使用中にずれおちて来るという根本的な難点がある。
【発明の開示】
【発明が解決しようとする課題】
【０００６】
本発明が解決しようとする課題は、ひざ用サポーター特にひざから太股に至る間に使用するサポーターの上記難点を解消することであり、更に詳しくは、使用中にずりおちることが殆んど又は全くないひざ用サポーターを開発することである。
【０００７】
本発明者は従来から上記目的のためにサポーター（就中ひざ用サポーター）について鋭意研究をつづけて来た。そしてこの研究に於いて、従来の編物製サポーターにシリコンゴムを併用するという全く新しい着想に到った。
【０００８】
即ちシリコンゴムは従来から良く知られているように、伸縮性が大きく、しめつけ力は編物に比し大きく、また撥水性があってベトツキもなく、しかも衛生上無害であるという極めて優れた特性がある。
【０００９】
更に詳しくはゴムであるために伸縮性があり、従来の編物製だけのものに比し、その伸縮性は極めて大きく、このためにずり落ちるという難点をうまく解消しうる可能性の極めて大きなものである。またシリコン製であるため湿気に対して強く、汗等の水分をはじく作用があり、装着しても発汗作用によるベトツキ感がなく、極めて気持ちの良い触感を賦与出来るものである。またシリコンゴムは、人体に対しても何等の支障もなく安心して使用出来る材料の一つである。
【００１０】
このような優れた特性を有するシリコンゴムを、従来のひざ用サポーター就中編物用サポーターに適用して、最大の難点であるずり落ちるという難点を解消するため、本発明者はひき続き本研究をおし進めた。そしてこの研究に於いて、シリコンゴムを編物製ひざ用サポーターに貼着することを試みたが、該サポーターは図１に示す通り円筒形のものであり、シリコンゴムをこのサポーター上にぴったりと貼着することが出来ないことが判明した。
【００１１】
従って本発明が解消しようとする課題は、このシリコンゴムをうまく、ひざ用サポーターの必要箇所にスムーズにそのままの形を保持せしめつつ貼着する手段を見出し、惹いてはシリコンゴムを使用したひざ用サポーターを新たに開発することである。
【課題を解決するための手段】
【００１２】
この課題は、従来のひざ用サポーターに於いて、図２に示す如く、ひざ用サポーターを通常裏がえしにして、平たく平板状に折りたたんだ状態にして（円筒形のひざ用サポーターをそのまま図２に示す通り２つに折りたたんだ状態とし）、この両面にシリコンゴムを別々に貼着することによって解消される。尚この際ひざ用サポーターを平板状に２つ折りする際、ひざ用サポーターを裏がえしにしてから折りたたむのが通常であるが、表側をそのままにしても良い。
【００１３】
上記の通り、本発明に於いては、従来のひざ用サポーター就中編物製サポーターの所定の箇所にシリコンゴムを貼着するものである。
【００１４】
この貼着手段は通常サポーターを図２の如く平板状に２つ折りにたたみ、その両面に別々に分けて、シリコンゴムを貼着する。貼着の手段としてはサポーターの２つ折にした両面の夫々の一部又は全部に、シリコンゴム溶液を塗布し、乾燥すれば良い。
【００１５】
シリコンゴムを貼着する箇所としては、サポーターがずり落ちないように出来る箇所であれば良いが、たとえば代表的な箇所を例示すれば図３の通りである。即ち図３−１に示す通り、サポーターの上端部（太股に当たる部分）に帯状にたとえば２０〜５０ｍｍ程度の巾で貼着する。この際サポーターの下端部（すね部分）にも同様に帯状に貼着しても良い。
【００１６】
また図３−２に示す通り、サポーターの上端部又は／及び下端部に斑点状にほぼ均一に貼着しても良い。この際サポーター全体に亘って、斑点状に貼着しても良い。
【００１７】
斑点の太さは通常３〜５ｍｍ（直径）程度である。出来るだけ均一になるように設ける。
【００１８】
本発明に於いて使用されるひざ用サポーターとしては、通常編物製のものが使用され、更に具体的にはパイル編地、リブ編地、リンクス編地、天竺編地等のものを例示出来る。
【００１９】
本発明に於いて使用されるシリコンゴムとしては従来からシリコンゴムとして知られているものが全て包含される。
【発明の効果】
【００２０】
本発明のサポーターは極めてずり落ちが少なく、しかもシリコンゴムを貼着した部分の感触も優れ、汗によるベトツキ感も非常に少なく、しかも健康上の支障も全くなく、極めて優れたサポーターである。
【発明を実施するための最良の形態】
【００２１】
従来のひざ用サポーターに於いて、特にその上端部と下端部の両方又は一方にシリコンゴムを貼着することによりずり落ち性を著しく改善出来る。
【００２２】
以下に実施例を示して本発明を詳しく説明する。
【実施例１】
【００２３】
図１に示す従来の編物製サポーターを図２に示す様に平板状に２つ折りにし、上端部と下端部の両面に別々にシリコンゴムを巾４０ｍｍで塗布し、８０℃で乾燥してシリコンゴムを帯状に両面に貼着した。
【００２４】
このサポーターを実際に健康な２０才台の男性２０人に装着してもらい、軽く５００ｍジョギングをしてもらった後、そのずり落ち性、シリコンゴムを貼着した部分の感触と汗によるベトツキ感を調査した。この結果、ずり落ちなかった人が１６名、殆どずり落ちなかった人が２名、少しずり落ちた人が２名であった。なおシリコンゴムを貼付しない従来のサポーターでは１４名がずり落ち、６名がかなりずり落ちた。
【００２５】
感触も非常に良い人が殆どで、汗をかいてベトツキを感じた人も殆どいなかった。
【実施例２】
【００２６】
図３−２に示す様にサポーターの上端部（太股部分）と下端部（すね部分）の夫々に巾５０ｍｍに亘って、シリコンゴムで斑点（直径約４ｍｍ）を均一に貼着した。
【００２７】
このサポーターを実際に実施例１と同様に２０名の２０才台のスポーツ選手に装着してもらった所、ほぼ実施例１と同様の結果が得られた。
【産業上の利用可能性】
【００２８】
ずり落ち性の改善されたサポーターを提供出来、そのスポーツ用品に属する産業に大いに寄与することが出来る。
【図面の簡単な説明】
【００２９】
【図１】図１は従来の編物製サポーターの一例を示す説明図である。
【００３０】
【図２】図２はシリコンゴムを貼着する際のサポーターを２つ折りにした状態を示す説明図である。
【００３１】
【図３】図３−１はシリコンゴムを斑点状（一端）に貼着する際の説明図である。
【００３２】
図３−２は図３−１に於いて斑点状（両端）に貼着する際の説明図である。
【符号の説明】
【００３３】
１：  サポーター
２：  上端部
３：  下端部
４：  足の挿入口
５：  斑点状シリコンゴム
【図１】
2005054332.tif 000003
【図２】
2005054332.tif 000004
【図３】
2005054332.tif 000005